(57)【要約】【課題】  ポンプによって内容物を吐出する際に、内皿を上昇させるようにした液注出容器、その他のシリンダー状の胴壁の表面に凹凸模様の加飾を施した容器を提供すること。【解決手段】  ポンプにより内容液を吸上げ、中皿を上昇させるポンプ付注出容器において、胴部表面に、シルクスクリーン印刷や塗装によって、厚盛りの凸模様を付けたことを特徴とし、また、他の容器として、液注出容器が、ピストン、またはプランジャーを嵌挿したシリンダー状胴壁を有する容器であることを特徴とする。【選択図】  図１
2008273582.tif 000002
【特許請求の範囲】
【請求項１】
ポンプにより内容液を吸上げ、中皿を上昇させるポンプ付注出容器において、
胴部表面に、シルクスクリーン印刷や塗装によって、厚盛りの凸模様を付けたことを特徴とする容器の加飾方法。
【請求項２】
液注出容器が、請求項１記載のポンプ付注出容器に変えて、ピストン、またはプランジャーを嵌挿したシリンダー状胴壁を有する容器であることを特徴とする容器の加飾方法。
【発明の詳細な説明】
【技術分野】
【０００１】
本発明は、ポンプ付注出容器、およびピストン、またはプランジャーを嵌挿したシリンダー状胴壁を有する容器の表面の加飾に関するものである。
【背景技術】
【０００２】
粘性液を吐出するポンプを取着した容器において、内容液の吐出に応じて中皿を上昇させるようにしたポンプ式注出容器は従来より知られている（例えば、特許文献１参照）。
【０００３】
上記特許文献１記載の注出容器自体は、射出成形によって成形されており、高級感を付与するとともに滑りを防ぐために、近年、容器表面に凸模様、或いは凹模様の加飾を施すことが提案されている。 
【特許文献１】特開平１１−１４７５５７号公報
【発明の開示】
【発明が解決しようとする課題】
【０００４】
しかしながら、凹凸模様を射出成形金型で成形すると、表面に凸模様を形成する場合には、容器の胴部裏面にヒケが生じることがあった。
そのため、中皿が胴壁内を摺動して上昇し、内容物を吐出する場合、容器壁面にヒケが存在すると、その部分からエアーが浸入し、吐出が効果的にできず、さらには、吐出できなくなるという問題があった。
また、気密シールができず、内容液が漏れるという問題があった。
また、上記のような注出容器だけでなく、内部にピストンや、プランジャーを嵌挿したシリンダー状胴壁を有する容器でも同様の問題が生じる。
【０００５】
本発明は、上記の問題点を解決することを課題とし、ポンプによって内容物を吐出する際に、内皿を上昇させるようにした液注出容器、その他のシリンダー状の胴壁の表面に凹凸模様の加飾を施した容器を提供することを目的とする。
【課題を解決するための手段】
【０００６】
本発明は、上記の課題を解決するため、ポンプ付注出容器の加飾方法として、ポンプにより内容液を吸上げ、中皿を上昇させるポンプ付注出容器において、胴部表面に、シルクスクリーン印刷や塗装によって、厚盛りの凸模様を付けたことを特徴とする構成を採用し、他の容器の実施例として、液注出容器が、ピストン、またはプランジャーを嵌挿したシリンダー状胴壁を有する容器であることを特徴とする構成を採用する。
【発明の効果】
【０００７】
キャビティ金型に凸部がないため、胴壁裏面に成形時のヒケによる凹部が形成されないので、ポンプによる内容液の吸上げ時に、中皿の弾性板と胴壁との間に隙間が生じることはなく、エアーが上部に浸入して内容液の吸上げを阻害することはない。
また、表面は、厚盛り印刷により凸模様が形成されているので、所望する模様を簡単に施すことができ、美的にも、高級感を付与することができる。
さらに、容器が手から滑り落ちることを防止できる。
【発明を実施するための最良の形態】
【０００８】
次に本発明の実施形態を粘性液のポンプ付吐出容器に具体化した実施例について、図面を参照して説明する。
図１、２において、Ａは容器本体、Ｂはポンプ、ＣはポンプＢの取付キャップ、ＤはポンプＢの上端に装着された吐出ノズル、Ｅはオーバーキャップである。 
【０００９】
容器本体Ａは、口部１と肩部２、胴部３とからなり、口部１の外周には、ねじ４が螺設されている。
胴部３の下端には、縮径部５が形成され、その外周には、外周壁６と底壁７とからなる袴８が被着されている。
底壁７には、空気導入孔７ａが穿設され、中央部に、支持筒９が立設されている。
【００１０】
胴部３の表面には、胴壁表面から突出する凸模様１０が付与されている。
胴部３の内面には、中皿１１が上下動可能として装着されており、中皿１１は底壁１２と内周壁１３、頂壁１４と該頂壁１４に連設された弾性板１５とからなり、弾性板１５の上下端は、胴部３内周面に弾設されている。
【００１１】
容器本体Ａの口部１には、取付キャップＣによってポンプＢが装着されており、ポンプＢは、周知のシリンダーとピストンを具えており、ピストンの上方のステムには、吐出ノズルＤが取着されている。
ポンプＢは、周知のように、吐出ノズルＤを上下動操作することにより内容液を吸込み、吐出ノズルＤの吐出口より吐出することができる。
【００１２】
胴部表面には、シルクスクリーンによって凸模様の厚盛り印刷が施されている。
所要の模様部分には、スクリーンのメッシュを荒くして、印刷インクを多量に適用し、厚盛りインク層を形成させる。
【００１３】
模様としては、点在するようにした絵柄模様、シボ模様、その他凹凸が並列した模様など、所望の凹凸模様を形成させることができる。
また、スクリーン印刷と塗装によって厚盛りしてもよい。 
さらにまた、模様を穿孔したマスクシートを貼り付け、塗料を吹付け厚盛り模様を形成させるようにしてもよい。
そのほか、凸模様の厚盛り方法として、種々な方法を用いることができる。
【００１４】
次に、作用効果について説明する。
胴壁の表面には、立体的な模様が形成され、高級感を付与することができ、特に、化粧料容器の加飾に優れている。
また、凹凸模様であるので、容器が手から滑り落ちることはない。
【００１５】
また、射出成形にあたって、キャビティ金型、コア金型に凹凸を付していないので、凹凸によるヒケが生じることはなく、とくに、キャビティ金型には凸部がないので、胴壁裏面には、ヒケによる凹部は形成されない。
【００１６】
前記実施例では、粘性液の吐出容器について説明したが、加飾される容器が、図２に示すようなピストン式容器であってもよい。
図２において、Ａａは、ピストン２０を内装したシリンダー状胴壁２１を有する注出容器である。
容器は射出成形によって成形され、胴壁２１表面には、前記実施例と同様な凸模様２２が形成されている。
胴壁２１の裏面には、ヒケによる凹凸が形成されないので、実施例と同一の作用効果を得ることができる。
【００１７】
その他容器として、毛染料、二液混合液を吐出するピストン式容器、注射器状のようなプランジャー式容器であってもよい。
【産業上の利用可能性】
【００１８】
本発明は、ポンプによる内容液の吸上げに応じて、胴部内に装着した中皿の摺動板が上昇する液注出容器で、胴部表面に、厚盛り印刷で凸模様を付して胴部壁面を平滑にしたので、エアーが摺動板と胴壁から浸入して内容液の吸上げを妨げることはなくなった。
本発明は、ポンプ付注出容器だけでなく、ピストンを押圧して内容液を吐出する注出容器、その他プランジャーを嵌挿した容器の胴壁の加飾等にも広く利用することができる。
【図面の簡単な説明】
【００１９】
【図１】本発明のポンプ付きの粘性液注出容器の一部断面立面図である。
【図２】別実施例の一部断面立面図である。
【符号の説明】
【００２０】
Ａ          容器本体
Ａａ        注出容器
Ｂ          ポンプ
Ｃ          取付キャップ
Ｄ          吐出ノズル
Ｅ          オーバーキャップ
１          口部
２          肩部
３          胴部
４          ねじ
５          縮径部
６          外周壁
７、１２    底壁
７ａ        空気導入孔
８          袴
９          支持筒
１０、２２  凸模様
１１        中皿
１３        内周壁
１４        頂壁
１５        弾性板
２０        ピストン
２１        胴壁
【図１】
2008273582.tif 000003
【図２】
2008273582.tif 000004